(57)【要約】【課題】内容器に残留する内容物の量を減少させることができる二重容器を提供する。【解決手段】流動性を有する内容物を貯溜するとともに、変形可能な内容器１０と、内容器１０を収容する外容器２０と、内容器１０に装着され、内容物を吐出するポンプ３０と、ポンプ３０に装着され、内容物の吐出により内容器１０が変形した場合に、ポンプ３０の吸引口３６の周囲に内容物の通路６０を確保するアダプタ５０と、を備える。内容器１０が変形しても、アダプタ５０により、内容器１０の壁部の内面同士が完全に密着することを防止する。【選択図】図２
2015093724.tif 000002
【特許請求の範囲】
【請求項１】
流動性を有する内容物を貯溜するとともに、変形可能な内容器と、
前記内容器を収容する外容器と、
前記内容器に装着され、前記内容物を吐出するためのポンプと、
前記ポンプに装着され、前記内容物の吐出により前記内容器が変形した場合に、前記ポンプの吸引口の周囲に内容物の通路を確保するアダプタと、
を備える二重容器。
【請求項２】
請求項１に記載の二重容器であって、
前記アダプタは、前記ポンプの吸引口の周囲に配置される通路形成部を備える、二重容器。
【請求項３】
請求項１又は２に記載の二重容器であって、
前記アダプタは、前記ポンプの吸引口付近から前記内容器の底部に向けて延設される案内部を有する、二重容器。
【請求項４】
請求項３に記載の二重容器であって、
前記通路形成部は、複数の通路形成片を有し、
前記案内部は、複数の案内片を有し、
前記案内部の前記各案内片は、前記通路形成部の前記各通路形成片に連続して形成される、二重容器。
【請求項５】
請求項１から４のいずれか１項に記載の二重容器であって、
前記ポンプは、シリンダを備え、
前記内容器は、前記シリンダが挿入される頸部を備え、
前記アダプタは、前記シリンダの外側に嵌められて、前記頸部と前記シリンダとの間に配置される保持部を備える、二重容器。
【請求項６】
請求項１から５のいずれか１項に記載の二重容器であって、
前記ポンプは、前記内容器の内部に外気を導入可能な通気孔を有し、
前記アダプタは、前記通気孔を閉塞するように前記ポンプに装着される、二重容器。
【発明の詳細な説明】
【技術分野】
【０００１】
本発明は、流動性を有する内容物を貯溜し、使用者がポンプを操作することで内容物を吐出する二重容器に関する。
【背景技術】
【０００２】
従来、例えば乳液状の化粧料のように流動性を有する内容物を貯溜し、使用者がポンプを操作することで内容物を吐出する二重容器が知られている（例えば、特許文献１参照）。二重容器は、主に内容器、外容器、及びポンプから構成される。二重容器は、ポンプを操作して内容物を吐出しても、内容器の内部に外気は導入されない。内容器は、内容物の吐出に応じて変形し、内容器の容積は減少する。このため、外気が導入されることによる内容物の酸化や雑菌による汚染等を抑えることができる。
【０００３】
特許文献１に開示される二重容器では、内容物を吐出して、内容物の体積が減少してくると、フィルムで形成された内容器が大気圧で押し潰されて変形し、内容器の壁部の内面同士が密着する状態になる。内容器の壁部の内面同士が密着すると、ポンプで内容物を吐出できなくなり、内容器の底部等に内容物が残留するという問題がある。これは、内容器が大気圧で押し潰されて変形すると、内容器の壁部の内面同士がポンプの吸引口の周囲で密着してポンプの吸引口を塞いだり、ポンプの吸引口と内容器の底部との間で内容器の壁部の内面同士が密着して内容物の通路を塞ぐためであると考えられる。
【０００４】
特許文献２は、薄肉構造の内容器の潰れ変形を一定形態に規制するリブ条を薄肉の胴部に形成した二重容器を開示する。特許文献２の二重容器は、リブ条によって内容器の潰れ変形を一定形態に規制して、内容物とポンプの吸引口との間の隙間を確保しようとする技術である。しかしながら、内容器の潰れ変形を常に一定の形態にすることは困難である。このため、内容器の潰れ変形の形態によっては隙間が確保できず、内容器に内容物が残留する場合がある。
【０００５】
また、二重容器は、需要者の好みに適合するよう、種々のデザインや異なる寸法のものが要望される。一方、ポンプの選択肢は比較的少なく、同じシリンダ径のポンプを異なるデザインや異なる寸法の二重容器に用いる場合がある。このため、内容器の頸部にポンプを装着した状態で、内容器の頸部とポンプのシリンダとの間に空間が生じ、この空間に内容物が入り込んでしまう場合がある。この空間に入った内容物はポンプで吐出することが難しく、内容物が残留してしまう原因の一つとなっている。
【０００６】
また、二重容器用のポンプとして、いわゆるエアレスポンプが用いられる。エアレスポンプは、ポンプを操作して内容物を吐出しても、内容器の内部に外気が導入されないよう、シリンダに通気孔は形成されていない。一方、シリンダに外気導入用の通気孔が形成されているポンプも知られている（以下、通気孔付きポンプという）。一般にエアレスポンプは、通気孔付きポンプよりも需要量が少ないため、エアレスポンプは通気孔付きポンプよりもコストが高い。つまり、コストの高いエアレスポンプを使用することで二重容器のコストが高くなっているという問題がある。
【先行技術文献】
【特許文献】
【０００７】
【特許文献１】特開２００４−３０７０４８号公報
【特許文献２】特開２００８−２１３８５４号公報
【発明の概要】
【発明が解決しようとする課題】
【０００８】
本発明は、上記課題を解決すべくなされたものである。
本発明の第１の目的は、内容器に残留する内容物の量を減少させることができる二重容器を提供することである。
本発明の第２の目的は、内容器とポンプのシリンダとの間の空間に入り込んで残留する内容物の量を減少させることができる二重容器を提供することである。
本発明の第３の目的は、通気孔付きポンプを使用可能とすることで二重容器のコストを低減することである。
【課題を解決するための手段】
【０００９】
本発明の解決しようとする課題は以上の如くであり、次にこの課題を解決するための手段を説明する。
【００１０】
即ち、第１の発明の二重容器は、内容器、外容器、ポンプ、及びアダプタを備える。
内容器は、流動性を有する内容物を貯溜するとともに、変形可能である。
外容器は、内容器を収容する。
ポンプは、内容器に装着され、内容物を吐出する。
アダプタは、ポンプに装着され、内容物の吐出により内容器が変形した場合に、ポンプの吸引口の周囲に内容物の通路を確保する。
【００１１】
第２の発明の二重容器は、第１の発明の二重容器であって、
アダプタは、ポンプの吸引口の周囲に配置される通路形成部を備える。
【００１２】
第３の発明の二重容器は、第１又は第２の発明の二重容器であって、
アダプタは、ポンプの吸引口付近から内容器の底部に向けて延設される案内部を有する。
【００１３】
第４の発明の二重容器は、第３の発明の二重容器であって、
通路形成部は、複数の通路形成片を有し、
案内部は、複数の案内片を有し、
案内部の各案内片は、通路形成部の各通路形成片に連続して形成される。
【００１４】
第５の発明の二重容器は、第１から第４のいずれかの発明の二重容器であって、
ポンプは、シリンダを備え、
内容器は、シリンダが挿入される頸部を備え、
アダプタは、シリンダの外側に嵌められて、頸部とシリンダとの間に配置される保持部を備える。
【００１５】
第６の発明の二重容器は、第１から第５のいずれかの発明の二重容器であって、
ポンプは、内容器の内部に外気を導入可能な通気孔を有し、
アダプタは、通気孔を閉塞するようにポンプに装着される。
【発明の効果】
【００１６】
本発明によれば、内容器が変形しても、アダプタにより、内容器の壁部の内面同士が完全に密着することを防止する。このため、ポンプの吸引口の周囲に内容物の通路を確保して、内容物をポンプで吐出することができ、残留する内容物の量を減少させることができる。
【図面の簡単な説明】
【００１７】
【図１】本発明の実施形態に係る二重容器の側面図。
【図２】二重容器を中心軸に沿って切断した断面図。
【図３Ａ】内容器の平面図。
【図３Ｂ】外蓋体の平面図。
【図４Ａ】アダプタの側面図
【図４Ｂ】図４ＡのＣ−Ｃ線における断面図。
【図５】内容物の吐出により内容器の容積が減少した状態の二重容器の側面図。
【図６Ａ】図５のＤ−Ｄ線における断面図
【図６Ｂ】図５のＥ−Ｅ線における断面図。
【発明を実施するための形態】
【００１８】
本発明の実施形態の一例である二重容器１００について図を用いて説明する。まず、図１から図４Ｂを用いて二重容器１００の構成について説明する。
【００１９】
図１、図２に示すように、二重容器１００は、例えば乳液状の化粧料のように流動性を有する内容物を貯溜する容器である。使用者は二重容器１００のポンプ３０を操作することにより必要量の内容物を吐出させる。二重容器１００は、主として内容器１０、外容器２０、ポンプ３０、及びアダプタ５０を有している。外容器２０には、カバー２９が装着される。本実施形態では、内容器１０及び外容器２０は透明である。このため、図１に示すように、二重容器１００を側面から見た場合に、外容器２０に収容される内容器１０及びアダプタ５０を視認することができる。尚、図１から図６Ｂでは、内容物の図示は省略している。
【００２０】
内容器１０は、内容物を貯溜するためのものである。また、内容器１０は、変形可能に構成されている。内容器１０は、内容物を貯溜できるように内部が中空に形成されている。内容器１０は、主として内容器本体１１及び頸部１２を有している。本実施形態の内容器本体１１は、略円筒状であり、側壁部１３、底壁部１４、及び天壁部１５を有している。
【００２１】
図２、図３Ａに示すように、内容器１０の頸部１２は、ポンプ３０が挿入される部分である。頸部１２は、内容器本体１１の天壁部１５に連続して形成されている。頸部１２の自由端側は、内容物の充填とポンプ３０の挿入とができるよう、開口部１６を有する。頸部１２の外周面には、雄螺子部１７、固定用鍔部１８、及び固定用突起１９が形成されている。固定用鍔部１８及び固定用突起１９は、内容器１０と外容器２０とを接続するための突起である。固定用鍔部１８は、頸部１２の外周面の全周に鍔状に形成されている。固定用突起１９は、固定用鍔部１８よりも開口部１６側に形成されている。固定用突起１９は、頸部１２の外周面における頸部１２の直径方向に対向する位置に一対形成されている。
【００２２】
前述のように、内容器１０は、変形可能に構成されている。内容器１０が変形可能であるとは、内容物を吐出して内容物の体積が減少し、かつ内容器１０の内部に外気が導入されない状態で、内容器１０の内容器本体１１が内容物の吐出に応じて大気圧で押し潰されうることをいう。例えば、内容器１０の内容器本体１１を構成する側壁部１３、底壁部１４、及び天壁部１５をフィルム状の合成樹脂素材で形成したり、薄肉の合成樹脂素材で形成することで、内容器１０を変形可能にすることができる。内容器１０は、例えばブロー成形法により成型することができる。合成樹脂素材として、ポリエチレン、ポリエステル、あるいはポリプロピレン等を用いることができる。
【００２３】
外容器２０は、内容器１０を収容できるように構成されている。外容器２０は、外容器本体２１及び外蓋体２２を有している。外容器本体２１は、有底の円筒状であり、内部に内容器１０を収容するための空間が形成されている。外容器本体２１は、開口部２３を有しており、開口部２３付近の外周面には、雄螺子部２４が形成されている。
【００２４】
図２、図３Ｂに示すように、外蓋体２２は、外容器本体２１の開口部２３を閉塞するとともに、内容器１０及びポンプ３０を保持する部材である。外蓋体２２の内周面には、外容器本体２１の雄螺子部２４と螺合する雌螺子部２５が形成されている。外蓋体２２の中央には挿通穴２６、係止部２７、及び差込孔２８が形成されている。挿通穴２６は、内容器１０の頸部１２が挿通する。係止部２７は、内容器１０の固定用鍔部１８及び固定用突起１９に係合して、内容器１０と外蓋体２２を接続する。差込孔２８は、内容器１０の固定用突起１９を差し込むための孔である。
【００２５】
内容器１０と外蓋体２２の接続について具体的に説明する。図３Ａ、図３Ｂに示すように、内容器１０の固定用突起１９は、頸部１２の外周面における頸部１２の直径方向に対向する位置に一対形成されている。外蓋体２２の係止部２７及び差込孔２８は、内容器１０の固定用突起１９に対応する位置に一対形成されている。内容器１０と外蓋体２２とを接続する場合、内容器１０の頸部１２を外蓋体２２の挿通穴２６に挿通させながら、固定用突起１９を差込孔２８に差し込む。続いて、内容器１０の係止部２７が差込孔２８から係止部２７に移動するように内容器１０と外蓋体２２とを相互に回転させる。これにより、外蓋体２２の係止部２７は、内容器１０の固定用鍔部１８及び固定用突起１９に係合して、内容器１０と外蓋体２２とが接続される。
【００２６】
本実施形態では、ポンプ３０として、通気孔付きポンプを用いている。二重容器に一般的に用いられる、いわゆるエアレスポンプは、通気孔が形成されていないが、本実施形態のポンプ３０は、内容器１０の内部に外気を導入するための通気孔３７がシリンダ３２に形成されている。本発明の二重容器では、アダプタ５０を用いることにより、エアレスポンプだけでなく、通気孔付きポンプでも使用することができる。
【００２７】
本実施形態のポンプ３０は、主に上蓋体３１、シリンダ３２、及びヘッド３３を有している。上蓋体３１の内周面には、内容器１０の雄螺子部１７と螺合する雌螺子部３４が形成されている。上蓋体３１の下端部には、台座部３５が形成されている。内容器１０に外蓋体２２を接続した状態で、上蓋体３１を内容器１０に螺合させると、内容器１０の固定用鍔部１８及び固定用突起１９と、上蓋体３１の台座部３５とで外蓋体２２を挟持した状態となり、内容器１０、外蓋体２２、及びポンプ３０を確実に接続することができる。尚、上蓋体３１の台座部３５は必須の構成ではない。内容器１０の固定用鍔部１８及び固定用突起１９が外蓋体２２に係合することで内容器１０と外蓋体２２との接続状態が維持できればよい。
【００２８】
シリンダ３２は、上蓋体３１の内側に固定されている。シリンダ３２の自由端には吸引口３６が形成されている。シリンダ３２の側面には通気孔３７が形成されている。シリンダ３２の内側には、ステム弁３８、ピストン弁３９、ボール４０、スプリング４１などが配置されている。ヘッド３３は、ノズル４２、ステム軸４３などを備え、上蓋体３１の上部に配置されている。尚、これらの構成については従来公知の通気孔付きポンプと同様であるため、詳細な説明は省略する。
【００２９】
図４Ａ、図４Ｂに示すように、アダプタ５０は、ポンプ３０に装着され、内容物の吐出により内容器１０が変形して内容器１０の容積が減少した場合に、ポンプ３０の吸引口３６の周囲に内容物の通路６０を確保する。アダプタ５０は、主として保持部５１、通路形成部５２、及び案内部５３を有する。
【００３０】
保持部５１は、図２に示すようにシリンダ３２の外側に嵌められて、内容器１０の頸部１２とシリンダ３２との間に配置される部分である。保持部５１の内側には保持穴５５が形成される。保持穴５５は、保持部５１をシリンダ３２の外側に嵌めるための穴である。保持穴５５の内径は、保持穴５５の内周面がシリンダ３２の外周面に密着するように設定される。保持部５１の高さ方向の寸法は、アダプタ５０をシリンダ３２に嵌めた状態で、保持部５１がシリンダ３２の通気孔３７を覆うことが可能な寸法に設定する。これにより、保持部５１をシリンダ３２に嵌めた状態で、保持部５１がシリンダ３２の通気孔３７を外面側から閉塞することができる。アダプタ５０をシリンダ３２に嵌めることで、通気孔付きポンプでもエアレスポンプと同様に使用することができる。
【００３１】
保持部５１の外径は、内容器１０の頸部１２の内周面に密着するように設定される。保持部５１にはフランジ５４が形成される。フランジ５４は、保持部５１を内容器１０の頸部１２に装着した状態で、頸部１２の開口部１６に係止され、内容器１０に対するアダプタ５０の位置決めがなされる。尚、保持部５１の外周面は、内容器１０の頸部１２の内周面に必ずしも密着しなくてもよい。例えば、保持部５１が内容器１０の頸部１２とポンプ３０のシリンダ３２との間の空間を実質的に無くす、あるいは減少させることができればよい。
【００３２】
通路形成部５２は、アダプタ５０をシリンダ３２に嵌めた状態で、ポンプ３０の吸引口３６の周囲に配置されるように形成される。通路形成部５２は、内容物の吐出により内容器１０が変形した場合に、内容器１０の側壁部１３の内面同士が密着することを防止し、ポンプ３０の吸引口３６の周囲に空間を形成する。また、通路形成部５２には、ポンプ３０の吸引口３６に内容物が供給されるよう、隙間が形成される。本実施形態では、通路形成部５２は、保持部５１に対して形成される３本の通路形成片５６を備えている。３本の通路形成片５６は、アダプタ５０をシリンダ３２に嵌めた状態で、ポンプ３０の吸引口３６の周囲に配置され、かつ、隣接する一対の通路形成片５６の間に内容物が通過できる隙間が形成される。これにより、内容物は通路形成片５６の間の隙間を介してポンプ３０の吸引口３６に吸引される。また、内容器１０が変形し、内容器１０の容積が減少した場合には、内容器１０の側壁部１３は通路形成片５６に接触するため、ポンプ３０の吸引口３６の周囲に空間が確保され、ポンプ３０の吸引口３６の周囲に内容物の通路６０が確保される。尚、通路形成部５２は本実施形態のものに限定されない。例えば、通路形成片５６の本数や形状は本実施形態に限定されない。
【００３３】
案内部５３は、アダプタ５０をシリンダ３２に嵌めた状態で、ポンプ３０の吸引口３６付近から内容器１０の底部（底壁部１４）に向けて延設される。本実施形態では、案内部５３は、内容器１０の中心部側から側壁部１３側に向けて放射状に配置される３本の案内片５７を有する。本実施形態では、各案内片５７が形成される位置は、通路形成部５２の各通路形成片５６に対応している。つまり、案内部５３の各案内片５７は、通路形成部５２の各通路形成片５６に連続して形成されている。これにより、内容物の吐出により内容器１０が変形した場合に、案内部５３が確保する内容物の通路６０と、通路形成部５３が確保する内容物の通路６０とが連続しやすくなる。つまり、各案内片５７と各通路形成片５６が連続して形成されていることにより、案内部５３によって確保される、内容器１０の内面同士の間の隙間と、通路形成部５３によって確保される、内容器１０の内面同士の間の隙間とが連続しやすくなる。尚、案内部５３は本実施形態のものに限定されない。例えば、案内片５７の本数や形状、通路形成片５６に対する相対的な位置は本実施形態に限定されない。また、案内部５３の長さは、変更することができる。案内部５３は、本実施形態に示すように、先端が内容器１０の底部付近に位置する長さであってもよく、これよりも短くてもよい。案内部５３の先端が内容器１０の底部付近に位置する場合、内容物の通路６０を内容器１０の底部付近まで確保することができる。
【００３４】
次に、ポンプ３０の吐出動作と吸引動作（ポンピング動作）、及びアダプタ５０の作用について説明する。
【００３５】
まず、ポンプ３０のポンピング動作について説明する。図２に示すように、ヘッド３３が押圧されていない状態では、ヘッド３３及びステム弁３８は、スプリング４１の付勢力により上死点に位置している。ボール４０もスプリング４１の付勢力によりシリンダ３２の吸引口３６側を閉塞している。シリンダ３２の通気孔３７は、ピストン弁３９とアダプタ５０の保持部５１とで閉塞されている。尚、図２の状態では、シリンダ３２の内部にはすでに内容物が吸引されているものとする。
【００３６】
図２の状態から、ヘッド３３がスプリング４１の付勢力に抗して押圧されると、ステム軸４３、ステム弁３８、及びピストン弁３９が下降する。シリンダ３２内部に吸引されていた内容物は、ステム弁３８とピストン弁３９の間に生じる隙間からヘッド３３側に移動してノズル４２から吐出される。このとき、シリンダ３２の側面の通気孔３７は、ピストン弁３９が移動することで内面側は開放されるが、アダプタ５０の保持部５１により、シリンダ３２の外面側から閉塞されているため、内容器１０の内部に外気は導入されない。
【００３７】
ヘッド３３を押圧した状態から解放すると、ヘッド３３、ステム軸４３、ステム弁３８、及びピストン弁３９はスプリング４１の付勢力により上昇する。シリンダ３２内部は、これらが上昇することで負圧となり、シリンダ３２の吸引口３６側を閉塞しているボール４０も上方に移動する。内容器１０の内容物は、吸引口３６から吸引されてシリンダ３２とボール４０の間に生じる隙間を通過し、シリンダ３２の内部に吸引される。
【００３８】
上述のようなポンピング動作を繰り返すことにより、内容器１０に充填されていた内容物はノズル４２から吐出されて減少していく。一方、内容物が減少しても外気は内容器１０の内部に導入されない。このため、図５に示すように、内容器１０は大気圧により変形し、内容器１０の容積は内容物の吐出に応じて減少する。
【００３９】
図５、図６Ａ及び図６Ｂは、内容物の残量が少なくなり、内容器１０の容積が減少して内容器１０の側壁部１３の内面同士が一部密着している状態を示している。しかしながら、アダプタ５０が存在することにより、内容器１０の側壁部１３の内面同士が完全に密着する状態とはなっていない。内容器１０の側壁部１３の隙間、あるいはアダプタ５０と内容器１０の側壁部１３との隙間は、内容物の通路６０となる。このため、内容器１０の側壁部１３の内面同士が一部密着しても、通路６０を通してポンプ３０で内容物を吸引することができる。
【００４０】
内容物を使い切った内容器１０は、内容物が充填された新たな内容器１０に交換することができる。交換用の内容器１０は、新たなポンプ３０、外蓋体２２、及びアダプタ５０が組み合され、外容器２０が繰り返し使用される。この場合、内容物を外気に触れさせることなく内容器１０を交換することができる。尚、内容器１０のみ交換し、ポンプ３０、外蓋体２２、アダプタ５０、及び外容器２０を繰り返し使用するようにしてもよい。
【００４１】
以上説明した本実施形態に係る二重容器１００によれば、次のような効果を有する。
【００４２】
本実施形態の二重容器１００によれば、ポンプ３０にはアダプタ５０が装着される。アダプタ５０は、内容物の吐出により内容器１０が変形した場合に、ポンプ３０の吸引口３６の周囲に内容物の通路６０を確保する。このため、内容器１０が変形しても、アダプタ５０により、内容器１０の壁部の内面同士が完全に密着することを防止する。よって、ポンプ３０の吸引口３６と内容物との間に内容物の通路６０を確保して内容物をポンプ３０で吐出することができ、残留する内容物の量を減少させることができる。
【００４３】
本実施形態の二重容器１００によれば、アダプタ５０は、ポンプ３０の吸引口３６の周囲に配置される通路形成部５２を備える。アダプタ５０の通路形成部５２が障壁となって、内容器１０の壁部の内面同士が完全に密着することを防止し、ポンプ３０の吸引口３６付近の通路６０を確保する。
【００４４】
本実施形態の二重容器１００によれば、アダプタ５０は、ポンプ３０の吸引口３６付近から内容器１０の底部に向けて延設される案内部５３を有する。アダプタ５０の案内部５３は、内容物の吐出により内容器１０が変形した場合でも、内容器１０の底部寄りの位置からポンプ３０の吸引口３６に向けて内容物の通路６０を確保することができる。
【００４５】
本実施形態の二重容器１００によれば、案内部５３の各案内片５７は、通路形成部５２の各通路形成片５６に連続して形成される。これにより、案内部５３によって確保される通路６０と、通路形成部５３によって確保される通路６０とが連続しやすくなる。よって、内容器１０の底部よりの位置からポンプ３０の吸引口３６まで連続した通路６０を確保することができる。
【００４６】
本実施形態の二重容器１００によれば、アダプタ５０は、ポンプ３０のシリンダ３２の外側に嵌められて、内容器１０の頸部１２とシリンダ３２との間に配置される保持部５１を備える。保持部５１により内容器１０とポンプ３０のシリンダ３２との間の空間を少なくすることができ、空間に入り込んで残留する内容物の量を減少させることができる。
【００４７】
本実施形態の二重容器１００によれば、ポンプ３０は、内容器１０の内部に外気を導入可能な通気孔３７を有し、アダプタ５０は、通気孔３７を閉塞するようにポンプ３０に装着される。このため、アダプタ５０を用いることで通気孔３７を有するポンプ３０を用いることができ、二重容器１００のコストを低減することができる。
【００４８】
以上、本発明の実施形態について説明したが、本発明は上記実施形態に限定されるものではなく、様々な変更が可能である。
【符号の説明】
【００４９】
１００  二重容器
１０    内容器
１２    頸部
１３    側壁部
１４    底壁部
２０    外容器
３０    ポンプ
３２    シリンダ
３６    吸引口
３７    通気孔
５０    アダプタ
５１    保持部
５２    通路形成部
５３    案内部
５７    案内片
【図１】
2015093724.tif 000003
【図２】
2015093724.tif 000004
【図３Ａ】
2015093724.tif 000005
【図３Ｂ】
2015093724.tif 000006
【図４Ａ】
2015093724.tif 000007
【図４Ｂ】
2015093724.tif 000008
【図５】
2015093724.tif 000009
【図６Ａ】
2015093724.tif 000010
【図６Ｂ】
2015093724.tif 000011